(57)【要約】【課題】車両等の複数の機器が同時に利用されることを防止できる機器利用管理装置を提供する。【解決手段】機器利用管理装置は、筐体２、検出器３、読取部７、判定部８及び管理部９を備える。筐体２は、蓋５が閉じられている状態で金属製の部材によって内部の周囲が囲まれ且つ上下が覆われる。検出器３は、蓋５が閉じられていることを検出する。読取部７は、筐体２の内部に配置された情報記憶媒体１０から認証用情報を無線通信で読み取る。判定部８は、読取部７によって読み取られた認証用情報が既登録の情報の何れかと一致するか否かを判定する。管理部９は、蓋５が閉じられていることが検出器３によって検出され且つ判定部８によって一致すると判定されると、機器１の利用を許可する。【選択図】図１
2016199134.tif 000002
【特許請求の範囲】
【請求項１】
開口を開閉する蓋を有し、前記蓋が閉じられている状態で金属製の部材によって内部の周囲が囲まれ且つ上下が覆われる筐体と、
前記蓋が閉じられていることを検出する検出手段と、
前記筐体の内部に配置された情報記憶媒体から認証用情報を無線通信で読み取る読取手段と、
前記読取手段によって読み取られた認証用情報が既登録の情報の何れかと一致するか否かを判定する判定手段と、
前記蓋が閉じられていることが前記検出手段によって検出され且つ前記判定手段によって一致すると判定されると、機器の利用を許可する管理手段と、
を備えた機器利用管理装置。
【請求項２】
前記筐体は、前記蓋が閉じられることによって密閉される金属製の箱である請求項１に記載の機器利用管理装置。
【請求項３】
前記管理手段は、機器の利用を許可した後に前記蓋が閉じられていることが前記検出手段によって検出されなくなると機器の利用を不許可にする請求項１又は請求項２に記載の機器利用管理装置。
【請求項４】
前記読取手段は、前記蓋が閉じられていることが前記検出手段によって検出されている時のみ、認証用情報を読み取るための読取動作を行う請求項１から請求項３の何れか一項に記載の機器利用管理装置。
【請求項５】
前記読取手段は、
前記蓋が閉じられていることが前記検出手段によって検出されると認証用情報を読み取るための読取動作を開始し、認証用情報を読み取ることができると読取動作を停止し、
読取動作を開始してから一定回数の読取動作が行われても認証用情報を読み取ることができない場合又は読取動作を開始してから一定時間が経過しても認証用情報を読み取ることができない場合に、読取動作を停止する
請求項１から請求項３の何れか一項に記載の機器利用管理装置。
【請求項６】
前記判定手段は、前記蓋が閉じられていることが前記検出手段によって検出されている時のみ、前記読取手段によって読み取られた認証用情報が既登録の情報の何れかと一致するか否かの判定を行う請求項１から請求項３の何れか一項に記載の機器利用管理装置。
【発明の詳細な説明】
【技術分野】
【０００１】
この発明は、機器の利用を管理する装置に関する。
【背景技術】
【０００２】
特許文献１に、車両を駆動するための装置が記載されている。特許文献１に記載された装置では、免許証ＩＤによる認証が成功しなければ、エンジンを始動させることができない。
【先行技術文献】
【特許文献】
【０００３】
【特許文献１】特開２００３−１８２５２３号公報
【発明の概要】
【発明が解決しようとする課題】
【０００４】
特許文献１に記載された装置では、複数の車両に免許証ＩＤを登録しておけば、複数の車両を同時に動かすことができてしまう。例えば、ある程度離れた位置から免許証ＩＤを読み取ることができれば、複数の車両を同時に動かすことができる。
【０００５】
この発明は、上述のような課題を解決するためになされた。この発明の目的は、車両等の複数の機器が同時に利用されることを防止できる機器利用管理装置を提供することである。
【課題を解決するための手段】
【０００６】
この発明に係る機器利用管理装置は、開口を開閉する蓋を有し、蓋が閉じられている状態で金属製の部材によって内部の周囲が囲まれ且つ上下が覆われる筐体と、蓋が閉じられていることを検出する検出手段と、筐体の内部に配置された情報記憶媒体から認証用情報を無線通信で読み取る読取手段と、読取手段によって読み取られた認証用情報が既登録の情報の何れかと一致するか否かを判定する判定手段と、蓋が閉じられていることが検出手段によって検出され且つ判定手段によって一致すると判定されると、機器の利用を許可する管理手段と、を備える。
【発明の効果】
【０００７】
この発明に係る機器利用管理装置は、蓋が閉じられている状態で金属製の部材によって内部の周囲が囲まれ且つ上下が覆われる筐体と筐体の内部に配置された情報記憶媒体から認証用情報を無線通信で読み取る読取手段とを備える。また、蓋が閉じられていることが検出手段によって検出され且つ読取手段によって読み取られた認証用情報が既登録の情報の何れかと一致すると判定手段によって判定されると、機器の利用が許可される。このため、複数の機器が同時に利用されることを防止できる。
【図面の簡単な説明】
【０００８】
【図１】この発明の実施の形態１における機器利用管理装置を示す斜視図である。
【図２】この発明の実施の形態１における機器利用管理装置の構成を示す図である。
【図３】この発明の実施の形態１における機器利用管理装置の動作の一例を示すフローチャートである。
【発明を実施するための形態】
【０００９】
添付の図面を参照し、本発明を説明する。重複する説明は、適宜簡略化或いは省略する。各図において、同一の符号は同一の部分又は相当する部分を示す。
【００１０】
実施の形態１．
図１は、この発明の実施の形態１における機器利用管理装置を示す斜視図である。図２は、この発明の実施の形態１における機器利用管理装置の構成を示す図である。
【００１１】
機器利用管理装置は、機器１の利用を管理するための装置である。機器１は、例えば、運転することが一定の人に限定されるフォークリフト等の車両である。機器１は車両に限定されない。機器利用管理装置は、複数の機器１が存在する場合に、機器１に対する一人の利用許可によって複数の機器１が同時に利用されることを防止する。
【００１２】
機器利用管理装置は、例えば筐体２、検出器３及び認証装置４を備える。
【００１３】
筐体２は、蓋５を有する。蓋５は、筐体２に形成された開口を開閉する。図１は、筐体２に上向きの開口が形成される例を示す。開口の向きは図１に示す例に限定されない。筐体２は、例えば蓋５が閉じられることによって密閉される金属製の箱である。即ち、筐体２は、蓋５が閉じられている状態で金属製の部材によって内部の周囲が囲まれ且つ内部の上下が覆われる。
【００１４】
検出器３は、蓋５の開閉を検出する。例えば、検出器３は、蓋５が閉じられることによってＯＮ或いはＯＦＦになるスイッチを有する。検出器３は、このスイッチの状態によって蓋５が閉じられていることを検出する。検出器３が蓋５の開閉を検出する方法は、上記方法に限定されない。検出器３は、例えば筐体２の内部に設けられる。検出器３が検出した結果は、認証装置４に出力される。
【００１５】
認証装置４は、機器１を利用しようとしている人が機器１の利用を許可された人であることを認証するための装置である。認証装置４は、例えば筐体２の内部に設けられる。認証装置４は、例えば記憶部６、読取部７、判定部８及び管理部９を備える。
【００１６】
記憶部６に、機器１の利用を許可された人を特定するための情報が予め記憶される。例えば、機器１の利用を許可された人には、情報記憶媒体１０が予め付与される。情報記憶媒体１０は、例えば社員証のようなカード形態であっても良い。情報記憶媒体１０に、認証用情報が記憶される。認証用情報は、情報記憶媒体１０を特定するための固有の情報である。記憶部６には、機器１の利用を許可された人に付与された情報記憶媒体１０の認証用情報が予め登録される。
【００１７】
読取部７は、情報記憶媒体１０に記憶されている認証用情報を非接触で読み取る。読取部７は、筐体２の内部に配置された情報記憶媒体１０から、近距離の無線通信によって認証用情報を読み取る。例えば、読取部７は、認証用情報を読み取るための読取動作として、質問信号を送信する。情報記憶媒体１０は、読取部７から質問信号を受信すると、質問信号に対する応答として認証用情報を含む応答信号を送信する。読取部７は、情報記憶媒体１０から応答信号を受信することによって認証用情報を取得する。
【００１８】
読取部７が認証用情報を読み取る方法は、上記方法に限定されない。筐体２の内部に、情報記憶媒体１０を差し込むための差込口を設けても良い。かかる場合、読取部７は、差込口に差し込まれた情報記憶媒体１０から認証用情報を取得する。
【００１９】
判定部８は、読取部７によって読み取られた認証用情報が記憶部６に予め登録されている情報の何れかと一致するか否かを判定する。
【００２０】
管理部９は、機器１の利用を管理する。管理部９は、検出器３の検出結果と判定部８の判定結果とに基づいて、機器１の利用を許可したり不許可にしたりする。例えば、管理部９は、基本的に機器１の利用を不許可にする。管理部９は、機器１の利用を許可するための許可条件が成立すると、機器１の利用を許可する。例えば、蓋５が閉じられていることが検出器３によって検出され且つ読取部７によって読み取られた認証用情報が既登録の情報の何れかと一致すると判定部８によって判定されると、許可条件は成立する。
【００２１】
判定部８及び管理部９は、認証装置４が有する機能を示す。認証装置４は、ハードウェア資源として、例えば入出力インターフェースとプロセッサとメモリとを含む回路を備える。認証装置４は、メモリに記憶されたプログラムをプロセッサによって実行することにより、判定部８及び管理部９が有する各機能を実現する。認証装置４は、複数のプロセッサを備えても良い。認証装置４は、複数のメモリを備えても良い。即ち、複数のプロセッサと複数のメモリとが連携して判定部８及び管理部９が有する各機能を実現しても良い。判定部８及び管理部９が有する各機能の一部又は全部をハードウェアによって実現しても良い。
【００２２】
次に、図３も参照し、機器利用管理装置の動作について具体的に説明する。図３は、この発明の実施の形態１における機器利用管理装置の動作の一例を示すフローチャートである。
【００２３】
機器利用管理装置では、蓋５が閉じられているか否かが判定される（Ｓ１０１）。例えば、機器１を利用したい人は、自分の社員証を筐体２の内部に入れ、蓋５を閉める。社員証には情報記憶媒体１０が組み込まれている。蓋５が閉められると、蓋５が閉じられていることが検出器３によって検出される（Ｓ１０１のＹｅｓ）。
【００２４】
次に、情報記憶媒体１０の認証処理が行われる（Ｓ１０２）。具体的には、認証用情報を読み取るための読取動作が読取部７によって行われる。情報記憶媒体１０が筐体２の内部に配置されていれば、読取部７は、この情報記憶媒体１０に記憶されている認証用情報を読み取る。読取部７によって認証用情報が読み取られると、機器１の利用権限があるか否かが判定部８によって判定される（Ｓ１０３）。即ち、判定部８は、読取部７によって読み取られた認証用情報が記憶部６に予め登録されている情報の何れかと一致するか否かを判定する。
【００２５】
読取部７によって読み取られた認証用情報が記憶部６に登録されている情報の何れにも一致しなければ、この認証用情報を有する情報記憶媒体１０の所有者に機器１の利用権限はない（Ｓ１０３のＮｏ）。即ち、読取部７によって読み取られた認証用情報が既登録の情報の何れにも一致しないと判定部８によって判定されると、管理部９は、機器１の利用を不許可にする（Ｓ１０６）。
【００２６】
一方、読取部７によって読み取られた認証用情報が記憶部６に登録されている情報の何れかに一致すれば、この認証用情報を有する情報記憶媒体１０の所有者に機器１の利用権限がある（Ｓ１０３のＹｅｓ）。即ち、読取部７によって読み取られた認証用情報が既登録の情報の何れかに一致すると判定部８によって判定されると、管理部９は、機器１の利用を許可する（Ｓ１０４）。管理部９は、例えば利用を許可する旨の信号を機器１に対して送信する。これにより、機器１は利用可能な状態になる。
【００２７】
機器１の利用が許可された後、蓋５が閉じられているか否かが判定される（Ｓ１０５）。機器１の利用が許可された後、蓋５が閉じられていることが検出器３によって検出されている間は機器１の利用が継続して許可される。機器１の利用が許可された後に蓋５が閉じられていることが検出器３によって検出されなくなると、管理部９は機器１の利用を不許可にする（Ｓ１０６）。
【００２８】
上記構成を有する機器利用管理装置では、蓋５が閉じられていることが検出器３によって検出され且つ読取部７によって読み取られた認証用情報が既登録の情報の何れかと一致すると判定部８によって判定された場合に、機器１の利用が許可される。蓋５が閉じられると金属製の部材によって情報記憶媒体１０を配置するための空間の周囲が囲まれ且つ上下が覆われる。このため、認証装置４から発せられる電波及び情報記憶媒体１０から発せられる電波は金属製の部材によって遮蔽され、筐体２の外に放出されない。筐体２を密閉可能な金属製の箱で構成すれば、電波が筐体２の外に漏れることを簡単に防止できる。上記許可条件を採用することによって、１つの情報記憶媒体１０によって複数の機器１が同時に利用されることを防止できる。
【００２９】
本実施の形態で開示した機器利用管理装置の構成及び動作は一例である。機器利用管理装置は、以下の構成或いは動作を採用しても良い。
【００３０】
読取部７は、蓋５が閉じられていることが検出器３によって検出されている時のみ読取動作を行っても良い。例えば、読取部７は、蓋５が閉じられていることが検出器３によって検出されていない間は読取動作を行わない。読取部７は、蓋５が閉じられていることが検出器３によって検出されると読取動作を開始する。
【００３１】
また、読取部７による読取動作を行う期間を制限しても良い。例えば、読取部７は、蓋５が閉じられていることが検出器３によって検出されると読取動作を開始する。その後、読取部７は、認証用情報を読み取ることができると読取動作を停止する。読取動作を開始しても認証用情報を読み取ることができない場合、読取部７は、例えば一定回数の読取動作を行った後に読取動作を停止する。読取部７は、読取動作を開始してから一定時間が経過しても認証用情報を読み取ることができない場合に読取動作を停止しても良い。
【００３２】
他の例として、判定部８は、蓋５が閉じられていることが検出器３によって検出されている時のみ、読取部７によって読み取られた認証用情報が記憶部６に予め登録されている情報の何れかと一致するか否かの判定を行っても良い。例えば、判定部８は、蓋５が閉じられていることが検出器３によって検出されていない間は上記判定を行わない。判定部８は、蓋５が閉じられていることが検出器３によって検出されると、読取部７によって認証用情報が読み取られた際に上記判定を行う。
【符号の説明】
【００３３】
１  機器
２  筐体
３  検出器
４  認証装置
５  蓋
６  記憶部
７  読取部
８  判定部
９  管理部
１０  情報記憶媒体
【図１】
2016199134.tif 000003
【図２】
2016199134.tif 000004
【図３】
2016199134.tif 000005